(57)【要約】【課題】結露水の漏水を防止できる電子レンジを提供する。【解決手段】前面を開口して調理物を収納する加熱室３を有した本体部２と、加熱室３の前面を開閉する扉４と、加熱室３に高周波を供給するマグネトロン６とを備えた電子レンジ１において、扉４の背面４ｂまたは本体部２の前面２ａに凹設して扉４の背面４ｂを流下する結露を回収する回収部１０を設けた。【選択図】図３
2013228127.tif 000002
【特許請求の範囲】
【請求項１】
前面を開口して調理物を収納する加熱室を形成する本体部と、前記加熱室の前面を開閉する扉と、前記加熱室に高周波を供給するマグネトロンとを備えた電子レンジにおいて、前記扉の背面または前記本体部の前面に凹設して前記扉の背面を流下する結露を回収する回収部を設けたことを特徴とする電子レンジ。
【請求項２】
前記回収部の上壁を開口端に向かって上方に傾斜する傾斜面に形成したことを特徴とする請求項１に記載の電子レンジ。
【請求項３】
前記回収部の下壁を開口端に向かって上方に傾斜する傾斜面に形成したことを特徴とする請求項１または請求項２に記載の電子レンジ。
【請求項４】
前記扉の背面に凹設されるとともに前記回収部よりも上方に配して結露水を前記回収部に導く案内溝を備え、前記案内溝が前記回収部の側方から前記回収部に向かって傾斜することを特徴とする請求項１〜請求項３のいずれかに記載の電子レンジ。
【発明の詳細な説明】
【技術分野】
【０００１】
本発明は、加熱室の前面を扉により開閉する電子レンジに関する。
【背景技術】
【０００２】
従来の電子レンジは特許文献１に開示される。この電子レンジは前面を開口した加熱室を有する本体部と、本体部に枢支して加熱室の前面を開閉する扉とを備えている。また、本体部内には加熱室に高周波を供給するマグネトロンが設けられる。加熱室内に調理物を収納して扉が閉じられ、マグネトロンを駆動して調理物の調理が行われる。
【先行技術文献】
【特許文献】
【０００３】
【特許文献１】特開２００７−３２３２７６号公報
【発明の概要】
【発明が解決しようとする課題】
【０００４】
しかしながら、上記従来の電子レンジによると、調理が開始されると調理物から発生する水蒸気が扉の背面で結露する。扉の背面を流下する結露水は扉と本体部との隙間を介して下方に滴下し、電子レンジの設置面に漏水する問題があった。
【０００５】
本発明は、結露水の漏水を防止できる電子レンジを提供することを目的とする。
【課題を解決するための手段】
【０００６】
上記目的を達成するために本発明は、前面を開口して調理物を収納する加熱室を形成する本体部と、前記加熱室の前面を開閉する扉と、前記加熱室に高周波を供給するマグネトロンとを備えた電子レンジにおいて、前記扉の背面または前記本体部の前面に凹設して前記扉の背面を流下する結露を回収する回収部を設けたことを特徴としている。
【０００７】
この構成によると、加熱室内に調理物を収納して扉が閉じられるとマグネトロンが駆動される。マグネトロンにより発生した高周波は加熱室に供給され、調理物が調理される。調理によって調理物から発生する水蒸気は扉の背面で結露する。扉の背面を流下する結露水は扉と本体部との隙間を伝い、表面張力により回収部内に導かれて回収される。回収部に回収された結露水は時間経過によって蒸発する。
【０００８】
また本発明は、上記構成の電子レンジにおいて、前記回収部の上壁を開口端に向かって上方に傾斜する傾斜面に形成したことを特徴としている。この構成によると、扉と本体部との隙間を流下する結露水が傾斜した上壁を伝って回収部内に導かれる。
【０００９】
また本発明は、上記構成の電子レンジにおいて、前記回収部の下壁を開口端に向かって上方に傾斜する傾斜面に形成したことを特徴としている。この構成によると、回収部内に回収された結露水の流出が傾斜した下壁によって防止される。
【００１０】
また本発明は、上記構成の電子レンジにおいて、前記扉の背面に凹設されるとともに前記回収部よりも上方に配して結露水を前記回収部に導く案内溝を備え、前記案内溝が前記回収部の側方から前記回収部に向かって傾斜することを特徴としている。この構成によると、扉の背面の側端部を流下する結露水が案内溝を介して回収部に導かれる。
【発明の効果】
【００１１】
本発明によると、扉の背面または本体部の前面に凹設した回収部を備えたので、扉の背面を流下する結露水を回収して調理中の漏水を防止することができる。
【図面の簡単な説明】
【００１２】
【図１】本発明の第１実施形態の電子レンジを示す斜視図
【図２】本発明の第１実施形態の電子レンジの本体部を示す正面断面図
【図３】本発明の第１実施形態の電子レンジの要部を示す側面断面図
【図４】本発明の第２実施形態の電子レンジの扉を示す背面図
【図５】本発明の第２実施形態の電子レンジの扉の案内溝を示す縦断面図
【図６】本発明の第３実施形態の電子レンジの要部を示す側面断面図
【発明を実施するための形態】
【００１３】
以下に本発明の実施形態を図面を参照して説明する。図１は第１実施形態の電子レンジを示す斜視図である。電子レンジ１は調理物を収納する加熱室３を有した本体部２と、本体部２に枢支して加熱室３を開閉する扉４とを備えている。扉４には加熱室３内を視認する窓部４ａが設けられる。本体部２の上部には操作パネル５が設けられる。
【００１４】
図２は電子レンジ１の本体部２の正面断面図を示している。本体部２内の加熱室３の側方には高周波を発生するマグネトロン６が配される。加熱室３の下方には高周波を導波する導波管７が設けられ、導波管７内にはアンテナ８が配される。アンテナ８はアンテナモータ８ａにより回転し、高周波を攪拌して加熱室３に高周波を均一に供給する。
【００１５】
図３は電子レンジ１の要部の側面断面図を示している。本体部２の前面２ａには加熱室３の下方に回収部１０が凹設される。回収部１０は図１に示すように左右方向に延び、本体部２の前面２ａを形成する金属板をプレス加工して形成される。凹部１０の上壁１０ａは開口端に向かって上方に傾斜する傾斜面に形成される。上壁１０ａの開口端及び加熱室３の下面の開口端にはそれぞれ面取り１０ｃ、２ｂが施される。面取り１０ｃ、２ｂは曲面でもよく平面でもよい。凹部１０の下壁１０ｂは水平面に形成される。
【００１６】
上記構成の電子レンジ１において、加熱室３内に調理物を収納して扉４が閉じられるとマグネトロン６が駆動される。マグネトロン６により発生した高周波は導波管７を導波し、アンテナ８によって攪拌されて加熱室３に供給される。これにより、加熱室３内の調理物が加熱調理される。
【００１７】
調理によって調理物から発生する水蒸気は扉４の背面４ｂで結露する。扉４の背面４ｂを流下する結露水Ｗは扉４の背面４ａと本体部２の前面２ａとの隙間を伝い、表面張力により回収部１０内に導かれて回収される。この時、面取り２ｂによって扉４と本体部２との隙間に結露水Ｗを容易に導くことができる。また、結露水Ｗが表面張力によって面取り１０ｃ及び傾斜した上壁１０ａを伝い、回収部１０に結露水Ｗを容易に導くことができる。
【００１８】
回収部１０に回収された結露水Ｗは時間経過によって蒸発する。これにより、調理中に扉４と本体部２との隙間から結露水Ｗが電子レンジ１の設置面に滴下することによる漏水を防止することができる。
【００１９】
本実施形態によると、本体部２の前面２ａに凹設した回収部１０を設けたので、扉４の背面４ｂを流下する結露水Ｗを回収して調理中の漏水を防止することができる。
【００２０】
また、回収部１０の上壁１０ａが開口端に向かって上方に傾斜した傾斜面に形成されるので、扉４と本体部２との隙間を流下する結露水Ｗを回収部１０内に容易に導くことができる。
【００２１】
次に、図４は第２実施形態の電子レンジ１の扉４の背面図を示している。説明の便宜上、前述の図１〜図３に示す第１実施形態と同様の部分には同一の符号を付している。本実施形態は扉４の背面４ｂに案内溝１２が形成される。その他の部分は第１実施形態と同一である。
【００２２】
案内溝１２は扉４の背面４ｂに凹設され、図５の縦断面図に示すように下方が本体部２側に向かって傾斜する。また、案内溝１２は上下方向に扉４の窓部４ａと本体部２に設けた回収部１０との間に配され、案内溝１２の外側の側壁は回収部１０よりも側方から回収部１０に向かって傾斜する。これにより、扉４の両側端部を流下する結露水Ｗを案内溝１２により確実に回収部１０に導くことができる。
【００２３】
本実施形態によると、第１実施形態と同様の効果を得ることができる。加えて、扉４の背面４ｂに凹設して回収部１０よりも上方に配した案内溝１２が回収部１０よりも側方から回収部１０に向かって傾斜するので、扉４の側端部を流下する結露水Ｗを確実に回収することができる。
【００２４】
次に、図６は第３実施形態の電子レンジ１の要部を示す側面断面図である。説明の便宜上、前述の図１〜図３に示す第１実施形態と同様の部分には同一の符号を付している。本実施形態は回収部１０が扉４の背面４ｂに設けられる。その他の部分は第１実施形態と同一である。
【００２５】
回収部１０は本体部２の前面２ａに対向して扉４の背面４ｂに凹設され、左右方向に延びて形成される。凹部１０の上壁１０ａは第１実施形態と同様に開口端に向かって上方に傾斜する傾斜面に形成され、上壁１０ａの開口端には面取り１０ｃが施される。凹部１０の下壁１０ｂは開口端に向かって上方に傾斜する傾斜面に形成される。
【００２６】
これにより、扉４の背面４ｂを流下する結露水Ｗは扉４の背面４ａと本体部２の前面２ａとの隙間を伝い、表面張力により扉４に設けた回収部１０内に導かれて回収される。従って、第１実施形態と同様の効果を得ることができる。加えて、調理終了後に扉４を開いた際に、扉４の背面を流下する結露水Ｗを回収部１０に回収することができる。
【００２７】
また、回収部１０の下壁１０ｂが開口端に向かって上方に傾斜した傾斜面に形成されるので、回収部１０に回収した結露水Ｗの流出を防止することができる。尚、第１、第２実施形態の電子レンジ１の回収部１０の下壁１０ｂを本実施形態と同様に傾斜してもよい。
【００２８】
本実施形態において、第２実施形態と同様の案内溝１２（図４参照）を設けてもよい。
【産業上の利用可能性】
【００２９】
本発明によると、加熱室の前面を扉により開閉する電子レンジに利用することができる。
【符号の説明】
【００３０】
１    電子レンジ
２    本体部
２ａ  前面
３    加熱室
４    扉
４ａ  窓部
４ｂ  背面
５    操作パネル
６    マグネトロン
７    導波管
８    アンテナ
１０    回収部
１０ａ  上壁
１０ｂ  下壁
１２    案内溝
【図１】
2013228127.tif 000003
【図２】
2013228127.tif 000004
【図３】
2013228127.tif 000005
【図４】
2013228127.tif 000006
【図５】
2013228127.tif 000007
【図６】
2013228127.tif 000008